(57)【要約】      （修正有）【課題】保護パネルの固定構造を提供する。【解決手段】主として液晶スクリーン（コンピューター液晶スクリーン，液晶テレビ・スクリーンを含み）に対し、そのパネルが成形した保護パネル１により決定され、上端には、一区切りの間にピッチを保持する当接段部１２が形成され、該両側の当接段部１２の水平支持部１２１が永久に液晶スクリーンの幅よりも小さいことを必要とし、さらに外寄りの一側に両当接段部１２が略外向きかつ下斜めに設置され、同時に保護パネル１の鏡面内側の４隅と上端に形成された両間隔の当接段部１２の下寄り箇所に夫々突出部１３が設けられるが、これにより、該一体成形された保護パネル１が、液晶スクリーンに対応して架設し、保護パネル１の上端の区切りの当接段部１２および鏡面内側の４隅の突出部１３がスクリーンの正面と上端に、より好ましい放熱ピッチを保持できる。【選択図】図1
0003145018.tif 000002
【実用新案登録請求の範囲】
【請求項１】
保護パネルの固定構造は、そのパネルが液晶スクリーン（コンピューター液晶スクリーン，液晶テレビ・スクリーンを含み）に基づいて合致する保護パネルを決定する保護パネルの固定構造であって、その改良は、液晶スクリーンのパネルに対して成形された保護パネルが、上端には、一区切りの間にピッチを保持する当接段部を伸ばし、該両側の当接段部の水平支持部が永久に液晶スクリーンの幅よりも小さいことを必要とし、さらに外寄りの一側に両当接段部が略外向きかつ下斜めに設置され、該一体成形された保護パネルが、液晶スクリーンのパネルの前側に架設され、スクリーンの上端にピッチを保持できることにより、より好ましい放熱性を提供するものであることを特徴とする保護パネルの固定構造。
【請求項２】
該液晶スクリーンのパネルに対して成形された保護パネルは、その上端における両間隔の当接段部と一体成形して設置されることを特徴とする請求項1に記載の保護パネルの固定構造。
【請求項３】
該液晶スクリーンのパネルに対して成形された保護パネルとその上端における両間隔の当接段部は、部材を区分して設置でき、固設素子により、保護パネルの対応する方位に両間隔の当接段部を一体に固定し、同時に保護パネルの鏡面内側の4隅と上端に対して他に固設された両間隔の当接段部の下寄り箇所にも、夫々突出部が設けられ、液晶スクリーンのパネルの前側に対応して架設し、スクリーンの正面と上端に、より好ましい放熱ピッチを保持できることを特徴とする請求項1に記載の保護パネルの固定構造。
【請求項４】
保護パネルの固定構造は、そのパネルが液晶スクリーン（コンピューター液晶スクリーン，液晶テレビ・スクリーンを含み）に基づいて合致する保護パネルを決定する保護パネルの固定構造であって、その改良は、液晶スクリーンのパネルに対して一体成形された保護パネルが、その上端には両間隔を具する跨設段部が形成され、該両跨設段部の外寄りの一区切りが円弧状かつ下向きに伸ばす支承部とし、支承部の末端と保護パネルとの間における空間が永久に液晶スクリーンの一つ前の区切りの幅よりも大きいことを必要とし、該一体成形された保護パネルが、液晶スクリーンのパネルの前側に架設されることにより、保護パネルの両跨設段部の円弧支承部をスクリーンの一つ後の区切りの層面上に当着し、液晶スクリーンの上端に、より好ましい放熱ピッチを保持できるものであることを特徴とする保護パネルの固定構造。
【請求項５】
該液晶スクリーンのパネルに対して一体成形された保護パネルは、その鏡面内側の4隅と上端に形成された両間隔の当接段部（又は跨設段部）の下寄り箇所に夫々突出部を設け、液晶スクリーンのパネルの前側に対応して架設し、スクリーンの正面と上端に、より好ましい放熱ピッチを保持できることを特徴とする請求項1又は4に記載の保護パネルの固定構造。
【請求項６】
該液晶スクリーンのパネルに対して一体成形された保護パネルは、その上端に形成された両間隔の当接段部（又は跨設段部の外寄りの一区切りの円弧支承部）の外側とその鏡面の下端の両側には夫々孔を形成し、壁掛け式とする液晶スクリーンのパネルの前側に対応して保護パネルを架設した後に、束ね帯がその上・下端の孔を突き抜けて方位繋着するように許容でき、該保護パネルと液晶スクリーンとの間に、良好な固設位置決めを保持することを特徴とする請求項1又は4に記載の保護パネルの固定構造。
【請求項７】
該液晶スクリーンのパネルに対して一体成形された保護パネルは、その下端の両側に形成された孔が、係止できるL字形の補助部となり、該補助部の水平段部の外寄りに孔を開け、壁掛け式とする液晶スクリーンのパネルの前側に保護パネルを架設した後に、束ね帯がその上端の両外側の開けた孔および下端の補助部の水平段部の孔を突き抜けて方位繋着するように許容でき、該保護パネルと壁掛け式の液晶スクリーンとの間に、良好な固設位置決めを保持することを特徴とする請求項1、4又は6に記載の保護パネルの固定構造。
【請求項８】
保護パネルの固定構造は、そのパネルが液晶スクリーン（コンピューター液晶スクリーン，液晶テレビ・スクリーンを含み）に基づいて合致する保護パネルを決定する保護パネルの固定構造であって、その改良は、液晶スクリーンのパネルに対して一体成形された保護パネルの下端の両側に孔が形成されることにより、L字形の補助部に対応してその垂直段部を内向きに伸ばすフック部がその間に係止でき、さらに該補助部の水平段部の外寄りに孔を開け、その下端の両側に夫々L字形の補助部を係止する保護パネルとその上端にも、両間隔の掛合段部が形成されることにより、液晶スクリーンとの架設を実施し、より好ましい放熱ピッチを保持できることを特徴とする保護パネルの固定構造。
【請求項９】
該液晶スクリーンのパネルに対して一体成形された保護パネルは、その鏡面内側の4隅と上端の両間隔の掛合段部の下向きの箇所に突出部を設けることにより、液晶スクリーンのパネルの前側に対応して架設し、スクリーンの正面と上端に、より好ましい放熱ピッチを保持できることを特徴とする請求項8に記載の保護パネルの固定構造。
【請求項１０】
該液晶スクリーンのパネルに対して一体成形された保護パネルは、その上端の両間隔の掛合段部の外向きに孔を開孔でき、さらにその鏡面下端の両側の孔にL字形の補助部を係止する一区切りの水平段部の間の孔は、束ね帯がその上端の両外側および下端の補助部の開けた孔を突き抜けて方位繋着するように許容でき、該保護パネルと壁掛け式の液晶スクリーンとの間に、良好な固設位置決めを保持することを特徴とする請求項8に記載の保護パネルの固定構造。
【請求項１１】
該保護パネルの外向きの表層面が、複数の微小な凹凸エッジを介し、且つ緻密的に分布することにより、反射防止面を一つ形成することを特徴とする請求項1、4又は8に記載の保護パネルの固定構造。
【考案の詳細な説明】
【技術分野】
【０００１】
本考案は、保護パネルの固定構造を提供するもので、主として液晶スクリーン（コンピューター液晶スクリーン，液晶テレビ・スクリーンを含み）の前側に架設された保護パネルに対し、組み立ての時に、簡便な実施を介して穏やかな位置決めの設計を達成できる。
【背景技術】
【０００２】
目前に関連する業者は、普通の人の遍く使用する液晶スクリーン（コンピューター液晶スクリーン，液晶テレビ・スクリーンを含み）に対して保護パネルを設計することにより、液晶スクリーンのパネルを確実に保護し、使用上では該保護パネルに対し、液晶スクリーンのパネルの擦り傷，衝撃，油垢の汚染とパネル上の指紋残留を防止でき、且つ外部の埃の吸着を低減し、さらにパネルの清潔困難問題を解決し、同時に液晶スクリーンの使用寿命を延ばし、併せて強光，フレアと反射光もを除去できることにより、液晶スクリーンの画質の設定を安定化する。そしてこんな保護パネルと液晶スクリーンとの組み立てについて、大体フック式と直接的なパネル上の貼り付けとを区分し、実施上では、両者が夫々その特色を具する。
【考案の開示】
【０００３】
本考案は、即ち液晶スクリーン（コンピューター液晶スクリーン，液晶テレビ・スクリーンを含み）のパネルの前側に組み立てられた既存の保護パネルに基づいて架設し、他の固定組立体の設計を実施することにより、動作可能に液晶スクリーンの前側に架設された保護パネルが、組み立ての時に、簡便な実施を介して穏やかな位置決めの設計を達成できることを期待する。
【０００４】
本考案の主要な目的は、液晶スクリーン（コンピューター液晶スクリーン，液晶テレビ・スクリーンを含み）のパネルにより決定して成形された保護パネルが、上端には、一区切りの間にピッチを保持する当接段部を形成し、該両側の当接段部の水平支持部が永久に液晶スクリーンの幅よりも小さいことを必要とし、さらに外寄りの一側に両当接段部が略外向きかつ下斜めに設置されることにより、液晶スクリーンのパネルの前側に架設され、スクリーンの上端にピッチを保持できることにより、より好ましい放熱設計を提供するものである。
【０００５】
本考案の第2の目的は、液晶スクリーン（コンピューター液晶スクリーン，液晶テレビ・スクリーンを含み）のパネルにより決定して成形された保護パネルが、その上端には、両間隔を具する跨設段部を形成し、該両跨設段部の外寄りの一区切りが円弧状かつ下向きに伸ばす支承部とし、支承部の末端と保護パネルとの間における空間が永久に液晶スクリーンの一つ前の区切りの幅よりも大きいことを必要とし、液晶スクリーンのパネルの前側に架設されることにより、保護パネルの両跨設段部の円弧支承部をスクリーンの一つ後の区切りの層面上に当着し、液晶スクリーンの上端に、より好ましい放熱ピッチを保持できるものである。
【０００６】
本考案の第3の目的は、液晶スクリーン（コンピューター液晶スクリーン，液晶テレビ・スクリーンを含み）のパネルにより決定して成形された保護パネルが、その下端の両側には、孔を形成することにより、L字形の補助部に対応してその垂直段部を内向きに伸ばすフック部がその間に係止でき、さらに該補助部の水平段部の外寄りに孔を開け、その下端の両側に夫々L字形の補助部を係止する保護パネルとその上端にも、両間隔の掛合段部が形成されることにより、液晶スクリーンとの架設を実施し、より好ましい放熱ピッチを保持できるものである。
【０００７】
本考案の第4の目的は、液晶スクリーン（コンピューター液晶スクリーン，液晶テレビ・スクリーンを含み）のパネルにより決定して成形された保護パネルが、その鏡面内側の4隅と上端に形成された両間隔の当接段部（又は跨設段部）の下寄り箇所に夫々突出部を設け、液晶スクリーンのパネルの前側に対応して架設し、スクリーンの正面と上端に、より好ましい放熱ピッチを保持できるものである。
【０００８】
本考案の第5の目的は、液晶スクリーン（コンピューター液晶スクリーン，液晶テレビ・スクリーンを含み）のパネルにより決定して成形された保護パネルが、その上端に形成された両間隔の当接段部（又は跨設段部の外寄りの一区切りの円弧支承部）の外側とその鏡面の下端の両側には夫々孔を形成し、壁掛け式とする液晶スクリーンのパネルの前側に対応して保護パネルを架設した後に、束ね帯がその上・下端の孔を突き抜けて方位繋着するように許容でき、該保護パネルと液晶スクリーンとの間に、良好な固設位置決めを保持するものである。
【考案を実施するための最良の形態】
【０００９】
本考案の設計した保護パネルの固定構造のその1の実施態様は、図1を参照するように、液晶スクリーン（3）（コンピューター液晶スクリーン，液晶テレビ・スクリーンを含み）のパネルにより決定して成形された保護パネル（1）と、保護パネル（1）の下端両側に係止できる補助部（2）とを、含んでなる。その中でも、保護パネル（1）は、軽量化したフレーム無しのレンズにより一体成形され、その上端には、一区切りの間にピッチ（11）を保持する当接段部（12）が形成され、該両側の当接段部（12）の水平支持部（121）が永久に液晶スクリーン（3）の幅よりも小さいことを必要とし（例えば図2）、さらに外寄りの一側に両当接段部（12）が略外向きかつ下斜めに設置され、同時に保護パネル（1）の鏡面内側の4隅と上端に形成された両間隔の当接段部（12）の下寄り箇所には、夫々突出部（13）が設けられ、その他に保護パネル（1）の上端に形成された両間隔の当接段部（12）の外側とその鏡面の下端の両側には、夫々孔（14）が形成される。
【００１０】
両補助部（2）は、L字形を呈する係止部材がその垂直段部にフック部（21）を内向きに伸ばし（併せて図4を参照）、さらに補助部（2）の水平段部の外寄りの段落に孔（22）を開けてなる。
【００１１】
該保護パネル（1）は、デスクタイプ液晶スクリーン（3）（コンピューター液晶スクリーン，液晶テレビ・スクリーンを含み）に対応して架設を実施するが（図2を参照）、保護パネル（1）の上端における両間隔の当接段部（12）が液晶スクリーン（3）の頂端箇所に直接に跨設され、該両当接段部（12）の水平支持部（121）が液晶スクリーン（3）の幅よりもやや小さくなり、従ってスクリーン頂端にピッチを保持でき、同時に保護パネル（1）の内側の4隅と上端の両間隔の当接段部（12）の下寄り箇所の突出部（13）を介し、液晶スクリーン（3）の前側と頂端に、ピッチ（4）を保持することにより、より好ましい放熱性を提供する。
【００１２】
その他に保護パネル（1）は、壁掛け式液晶スクリーン（3’）（コンピューター液晶スクリーン，液晶テレビ・スクリーンを含み）に対応して架設を実施するが（図3を参照）、保護パネル（1）の上端における両間隔の当接段部（12）が液晶スクリーン（3’）の頂端箇所に跨設され、束ね帯（5）を取って上端の当接段部（12）の間の孔（14）を突き抜け、更に他端が保護パネル（1）の下端の孔（14）を突き抜け、上・下端を巡った孔（14）に対し、該区切りの束ね帯（5）の作用端は、タッチ・ファスナ(touch fastener)により穏やかに位置決めすることが出来、これにより、保護パネル（1）と液晶スクリーン（3’）との間に良好な方位繋着を保持でき、同時に該保護パネル（1）の内側の4隅と上端の両間隔の当接段部（12）の下寄り箇所の突出部（13）が、液晶スクリーン（3’）の前側と頂端に、より好ましい放熱ピッチ（4）を保持する。
【００１３】
保護パネル（1）は、壁掛け式液晶スクリーン（3’）（コンピューター液晶スクリーン，液晶テレビ・スクリーンを含み）に対応して他の架設を実施するが（図1と図4を参照）、L字形の補助部（2）の垂直段部に内向きに伸ばすフック部（21）が、保護パネル（1）の下端の孔（14）の間に係止され、保護パネル（1）の上端における両間隔の当接段部（12）が液晶スクリーン（3’）の頂端箇所に跨設され、さらに下端に係止された両補助部（2）が液晶スクリーン（3’）の底部に当止され、その後に束ね帯（5）を取って上端の当接段部（12）の間の孔（14）を突き抜け、更に他端が係止した補助部（2）の間の孔（22）を突き抜け、上・下端を巡った該孔（14、22）に対し、該区切りの束ね帯（5）の作用端も、タッチ・ファスナ(touch fastener)により穏やかに位置決めすることにより、保護パネル（1）と液晶スクリーン（3’）との間に良好な方位繋着を保し、同時に該保護パネル（1）の内側の4隅と上端の両間隔の当接段部（12）の下寄り箇所の突出部（13）が、液晶スクリーン（3’）の前側と頂端に、より好ましい放熱ピッチ（4）を保持する。
【００１４】
本考案の設計した保護パネルの固定構造のその2の実施態様も、図5、7を参照するように、液晶スクリーン（3）（コンピューター液晶スクリーン，液晶テレビ・スクリーンを含み）のパネルに基づいて決定して成形された保護パネル（6）と、保護パネル（6）の下端両側に係止できる補助部（2）とを、含んでなる。その中でも、保護パネル（6）は、上端には、両間隔を具する跨設段部（61）が形成され、該両跨設段部（61）の外寄りの一区切りが円弧状かつ下向きに伸ばす支承部（62）とし、支承部（62）の末端と保護パネル（6）との間における空間（63）が永久に液晶スクリーン（3）の一つ前の区切りの幅よりも大きいことを必要とし、同時に保護パネル（6）の鏡面内側の4隅と上端に形成された両間隔の跨設段部（61）の下寄り箇所に夫々突出部（64）が設けられ、その他に保護パネル（6）に対し、その上端における両跨設段部（61）の外寄りの一区切りの円弧支承部（62）の外側およびその鏡面の下端両側に夫々孔（65）が形成される（例えば図6）。
【００１５】
さらに補助部（2）は、その実施態様（例えば図1）と一致する。
【００１６】
このような態様の保護パネル（6）は、デスクタイプの液晶スクリーン（3）（コンピューター液晶スクリーン，液晶テレビ・スクリーンを含み）に対応して架設を実施するが（図5を参照）、保護パネル（6）の上端における両間隔の跨設段部（61）の円弧支承部（62）を液晶スクリーン（3）の後寄りの一区切りの層面上に当着することにより、スクリーンの頂端にピッチを保持し、同時に保護パネル（6）の内側の4隅と上端の両間隔の跨設段部（61）の下寄り箇所の突出部（64）を介し、液晶スクリーン（3）の前側と頂端に、ピッチ（4）を保持することにより、より好ましい放熱性を取得する。
【００１７】
更に該保護パネル（6）は、壁掛け式液晶スクリーン（3’）（コンピューター液晶スクリーン，液晶テレビ・スクリーンを含み）に対応して架設を実施するが（図6を参照）、保護パネル（6）の上端における両間隔の跨設段部（61）の円弧支承部（62）を液晶スクリーン（3’）の後寄りの一側の箇所に当着し、束ね帯（5）を取って上端の支承部（62）の間の孔（65）を突き抜け、更に他端が保護パネル（6）の下端の孔（65）を突き抜け、上・下端を巡った孔（65）に対し、該区切りの束ね帯（5）の作用端は、タッチ・ファスナ(touch fastener)により穏やかに位置決めすることが出来、これにより、保護パネル（6）と液晶スクリーン（3’）との間に良好な方位繋着を保持でき、同時に該保護パネル（6）の内側の4隅と上端の両間隔の跨設段部（61）の下寄り箇所の突出部（64）が、液晶スクリーン（3’）の前側と頂端に、より好ましい放熱ピッチ（4）を保持する。
【００１８】
保護パネル（6）は、壁掛け式液晶スクリーン（3’）（コンピューター液晶スクリーン，液晶テレビ・スクリーンを含み）に対応して架設を実施するが（図7を参照）、2つのL字形の補助部（2）の垂直段部に内向きに伸ばすフック部（21）が、保護パネル（6）の下端の両側の孔（65）の間に係止され、保護パネル（6）の上端における両間隔の跨設段部（61）の円弧支承部（62）を液晶スクリーン（3’）の頂端箇所に当着し、その他に下端に係止された両補助部（2）を、液晶スクリーン（3’）の底部に当着し、その後に束ね帯（5）を取って上端の支承部（62）の間の孔（65）を突き抜け、更に他端が係止した補助部（2）の間の孔（22）を突き抜け、上・下端を巡った該孔（65、22）に対し、該区切りの束ね帯（5）の作用端も、タッチ・ファスナ(touch fastener)にて穏やかに位置決めすることにより、保護パネル（6）と液晶スクリーン（3’）との間に良好な方位繋着を保持し、同時に該保護パネル（6）の内側の4隅と上端の両間隔の跨設段部（61）の下寄り箇所の突出部（64）が、液晶スクリーン（3’）の前側と頂端に、より好ましい放熱ピッチ（4）を保持する。
【００１９】
本考案の設計した保護パネルの固定構造のその3の実施態様も、液晶スクリーン（3）（コンピューター液晶スクリーン，液晶テレビ・スクリーンを含み）のパネルに基づいて決定して成形された保護パネルと、保護パネルの下端両側に係止できる補助部とを、含んでなる。その中でも、該保護パネルの下端の両側に孔が形成され、L字形の補助部に対応してその垂直段部を内向きに伸ばすフック部がその間に係止でき（例えば図7）、さらに該補助部の水平段部の外寄りに孔を開け、これにより、その下端の両側に夫々L字形の補助部を係止する保護パネルとその上端にも、両間隔の掛合段部（ここにある掛合段部が平行に伸ばす態様でスクリーンの頂端に対応して架設し、該掛合段部が図面により表示していない。）が形成されることにより、液晶スクリーンとの架設を実施し、より好ましい放熱ピッチを保持できる。
【００２０】
本考案の設計した保護パネルの固定構造のその4の実施態様も（図8を参照）、液晶スクリーン（コンピューター液晶スクリーン，液晶テレビ・スクリーンを含み）のパネルに基づいて決定して成形された保護パネル（7）と、保護パネル（7）の下端両側に係止できる補助部とを、含んでなる。その中でも、該成形された保護パネル（7）とその上端における両間隔の当接段部（71）は、部材を区分して設置でき、固設素子（72）（ここにある固設素子の実施が螺固素子であってもよく、鉚固素子であってもよい。）により、保護パネル（7）の対応する方位に両間隔の当接段部（71）を一体に固定し、同時に保護パネル（7）の鏡面内側の4隅と上端に対して他に固設された両間隔の当接段部（71）の下寄り箇所にも、夫々突出部（73）が設けられ、液晶スクリーンのパネルの前側に対応して架設し、スクリーンの正面と上端に、より好ましい放熱ピッチを保持する。
【００２１】
本考案の設計した保護パネルの固定構造の間における該保護パネル（7）のタイプ（例えば図9）は、保護パネル（7）の外向きの表層面に、複数の微小な凹凸エッジを介し、且つ緻密的に分布することにより、反射防止面（74）（該反射防止面に形成された微小な凹凸エッジの外径が0.07mmから0.11mmの間に介在し、深さが0.035mmから0.055mmの間に介在するように実施する。）を一つ形成するが、該保護パネル（7）の外向きの表層面の反射防止面（74）により、外部からその上に投射された光線に対し、周りへ散乱する作用を生成することにより、光線が柔和化を具する。  
【図面の簡単な説明】
【００２２】
【図１】本考案の保護パネルのその1の実施例の斜視図である。
【図２】本考案の保護パネルがデスクタイプ液晶スクリーンに対応して架設を実施するその1の実施例の模式図である。
【図３】本考案の保護パネルが壁掛け式液晶スクリーンに対応して架設を実施するその1の実施例の模式図である。
【図４】本考案の保護パネルが壁掛け式液晶スクリーンに対応して架設を実施するその1の他の実施例の模式図である。
【図５】本考案の保護パネルがデスクタイプ液晶スクリーンに対応して架設を実施するその2の実施例の模式図である。
【図６】本考案の保護パネルが壁掛け式液晶スクリーンに対応して架設を実施するその2の実施例の模式図である。
【図７】本考案の保護パネルが壁掛け式液晶スクリーンに対応して架設を実施するその2の他の実施例の模式図である。
【図８】本考案の保護パネルのその4の実施例の斜視図である。
【図９】本考案の保護パネルの外向きの表面に反射防止面が設けられた実施例である。
【符号の説明】
【００２３】
1、6、7     保護パネル
2           補助部
3、3’      液晶スクリーン  
4、11       ピッチ
5           束ね帯
12、71      当接段部   
13、64、73  突出部
14、22、65  孔
21          フック部
61          跨設段部
62          支承部
63          空間
72          固設素子
74          反射防止面
121         水平支持部
【図１】
0003145018.tif 000003
【図２】
0003145018.tif 000004
【図３】
0003145018.tif 000005
【図４】
0003145018.tif 000006
【図５】
0003145018.tif 000007
【図６】
0003145018.tif 000008
【図７】
0003145018.tif 000009
【図８】
0003145018.tif 000010
【図９】
0003145018.tif 000011
【手続補正書】
【提出日】平成20年7月15日(2008.7.15)
【手続補正１】
【補正対象書類名】実用新案登録請求の範囲
【補正対象項目名】全文
【補正方法】変更
【補正の内容】
【実用新案登録請求の範囲】
【請求項１】
保護パネルの固定構造は、そのパネルがコンピューター液晶スクリーン，液晶テレビ・スクリーンを含む液晶スクリーンに基づいて合致する保護パネルを決定する保護パネルの固定構造であって、その改良は、液晶スクリーンのパネルに対して成形された保護パネルが、上端には、一区切りの間にピッチを保持する当接段部を伸ばし、該両側の当接段部の水平支持部が永久に液晶スクリーンの幅よりも小さいことを必要とし、さらに外寄りの一側に両当接段部が略外向きかつ下斜めに設置され、該一体成形された保護パネルが、液晶スクリーンのパネルの前側に架設され、スクリーンの上端にピッチを保持できることにより、より好ましい放熱性を提供するものであることを特徴とする保護パネルの固定構造。
【請求項２】
該液晶スクリーンのパネルに対して成形された保護パネルは、その上端における両間隔の当接段部と一体成形して設置されることを特徴とする請求項1に記載の保護パネルの固定構造。
【請求項３】
該液晶スクリーンのパネルに対して成形された保護パネルとその上端における両間隔の当接段部は、部材を区分して設置でき、固設素子により、保護パネルの対応する方位に両間隔の当接段部を一体に固定し、同時に保護パネルの鏡面内側の4隅と上端に対して他に固設された両間隔の当接段部の下寄り箇所にも、夫々突出部が設けられ、液晶スクリーンのパネルの前側に対応して架設し、スクリーンの正面と上端に、より好ましい放熱ピッチを保持できることを特徴とする請求項1に記載の保護パネルの固定構造。
【請求項４】
保護パネルの固定構造は、そのパネルがコンピューター液晶スクリーン，液晶テレビ・スクリーンを含む液晶スクリーンに基づいて合致する保護パネルを決定する保護パネルの固定構造であって、その改良は、液晶スクリーンのパネルに対して一体成形された保護パネルが、その上端には両間隔を具する跨設段部が形成され、該両跨設段部の外寄りの一区切りが円弧状かつ下向きに伸ばす支承部とし、支承部の末端と保護パネルとの間における空間が永久に液晶スクリーンの一つ前の区切りの幅よりも大きいことを必要とし、該一体成形された保護パネルが、液晶スクリーンのパネルの前側に架設されることにより、保護パネルの両跨設段部の円弧支承部をスクリーンの一つ後の区切りの層面上に当着し、液晶スクリーンの上端に、より好ましい放熱ピッチを保持できるものであることを特徴とする保護パネルの固定構造。
【請求項５】
該液晶スクリーンのパネルに対して一体成形された保護パネルは、その鏡面内側の4隅と上端に形成された両間隔の当接段部（又は跨設段部）の下寄り箇所に夫々突出部を設け、液晶スクリーンのパネルの前側に対応して架設し、スクリーンの正面と上端に、より好ましい放熱ピッチを保持できることを特徴とする請求項1又は4に記載の保護パネルの固定構造。
【請求項６】
該液晶スクリーンのパネルに対して一体成形された保護パネルは、その上端に形成された両間隔の当接段部又は跨設段部の外寄りの一区切りの円弧支承部の外側とその鏡面の下端の両側には夫々孔を形成し、壁掛け式とする液晶スクリーンのパネルの前側に対応して保護パネルを架設した後に、束ね帯がその上・下端の孔を突き抜けて方位繋着するように許容でき、該保護パネルと液晶スクリーンとの間に、良好な固設位置決めを保持することを特徴とする請求項1又は4に記載の保護パネルの固定構造。
【請求項７】
該液晶スクリーンのパネルに対して一体成形された保護パネルは、その下端の両側に形成された孔が、係止できるL字形の補助部となり、該補助部の水平段部の外寄りに孔を開け、壁掛け式とする液晶スクリーンのパネルの前側に保護パネルを架設した後に、束ね帯がその上端の両外側の開けた孔および下端の補助部の水平段部の孔を突き抜けて方位繋着するように許容でき、該保護パネルと壁掛け式の液晶スクリーンとの間に、良好な固設位置決めを保持することを特徴とする請求項1、4又は6に記載の保護パネルの固定構造。
【請求項８】
保護パネルの固定構造は、そのパネルがコンピューター液晶スクリーン，液晶テレビ・スクリーンを含む液晶スクリーンに基づいて合致する保護パネルを決定する保護パネルの固定構造であって、その改良は、液晶スクリーンのパネルに対して一体成形された保護パネルの下端の両側に孔が形成されることにより、L字形の補助部に対応してその垂直段部を内向きに伸ばすフック部がその間に係止でき、さらに該補助部の水平段部の外寄りに孔を開け、その下端の両側に夫々L字形の補助部を係止する保護パネルとその上端にも、両間隔の掛合段部が形成されることにより、液晶スクリーンとの架設を実施し、より好ましい放熱ピッチを保持できることを特徴とする保護パネルの固定構造。
【請求項９】
該液晶スクリーンのパネルに対して一体成形された保護パネルは、その鏡面内側の4隅と上端の両間隔の掛合段部の下向きの箇所に突出部を設けることにより、液晶スクリーンのパネルの前側に対応して架設し、スクリーンの正面と上端に、より好ましい放熱ピッチを保持できることを特徴とする請求項8に記載の保護パネルの固定構造。
【請求項１０】
該液晶スクリーンのパネルに対して一体成形された保護パネルは、その上端の両間隔の掛合段部の外向きに孔を開孔でき、さらにその鏡面下端の両側の孔にL字形の補助部を係止する一区切りの水平段部の間の孔は、束ね帯がその上端の両外側および下端の補助部の開けた孔を突き抜けて方位繋着するように許容でき、該保護パネルと壁掛け式の液晶スクリーンとの間に、良好な固設位置決めを保持することを特徴とする請求項8に記載の保護パネルの固定構造。
【請求項１１】
該保護パネルの外向きの表層面が、複数の微小な凹凸エッジを介し、且つ緻密的に分布することにより、反射防止面を一つ形成することを特徴とする請求項1、4又は8に記載の保護パネルの固定構造。